(57)【特許請求の範囲】
【請求項１】
液晶表示パネル背部に線状発光体と導光体よりなる背面照明を有し、さらにその外側位置に回路部品および線状発光体電源を備えた液晶表示装置であって、前記導光体の背面および少なくとも前記回路部品および前記線状発光体電源の配置されている側の側面に沿うように、端部が曲げられた金属板を前記導光体と裏金属フレームとの間に挿入したことを特徴とする液晶表示装置。
【発明の詳細な説明】
【０００１】
【発明の属する技術分野】
本発明は文字および画像等を表示する液晶表示装置、特に外部の発熱を液晶表示パネルに対して均一に放熱させることに優れた液晶表示装置に関する。
【０００２】
【従来の技術】
以下、従来の液晶表示装置について図面を参照しつつ説明する。図２は従来の液晶表示装置の一例を示す縦方向断面図、図３は図２に示す液晶表示装置の横方向断面図である。これらの図面に示すように、従来の液晶表示装置の基本構成は駆動回路を備えた液晶表示パネル１を樹脂フレーム３を有する平面照明装置と外形を覆う金属フレーム２ではさみ、カシメ、もしくはネジ締め等により固定したものである。一般に駆動回路は、ドライバーＬＳＩ11をフィルムキャリア10の配線パターン上にボンディングしたＴＣＰを、ドライバー出力側は液晶表示パネルに異方導電性接着材で接続し、ドライバー入力側は、オペアンプ等の回路部品12を実装したプリント基板９に半田付けする。
【０００３】
液晶表示装置の背面照明に使用する平面照明装置は、図２に示すように線状発光体である冷陰極管５からの光線を光反射部材であるリフレクター15で導光手段である導光体６の端面に入射し、導光体６の主面からの出射光を光拡散手段である拡散シート７を用いて望ましい出射光特性に変換し、集光手段であるプリズムシート８にて光効率上げる構成になっている。
【０００４】
導光体６にはアクリル等の透明樹脂を平板あるいはくさび形状に成形し、出射光効率および輝度均一性を上げるために裏面に白色ドット状印刷あるいは成形による粗面を設け、さらにこの裏面はほぼ全面に白色樹脂等の反射手段が設けられた構成になっている。なお、冷陰極管用電源14により点灯されている冷陰極管５の熱を放熱させるために裏金属フレーム４と導光体６との間には平面状の金属板13が挿入されることがある。この金属板にはアルミ等が用いられる。
【０００５】
【発明が解決しようとする課題】
しかしながら、このような従来の構成は、外形が小さく、消費電流が少ないことから、主としてワードプロセッサ、ノートパソコンなどに使用されているものの、近年においてはノートパソコンのコンパクト化、画面の大型化により、液晶表示装置の有効表示領域外の外形までの部分をより狭額縁化することが要求されている。
【０００６】
しかしこの狭額縁化は、冷陰極管、駆動回路部品と液晶表示パネルとの距離を狭め、また、液晶表示装置と外部の冷陰極管用電源との距離もより狭めることになるので、冷陰極管の発熱が液晶表示パネルに伝わって液晶表示パネルとの近接部分が高温となり、冷陰極管から遠い部分との温度差を生じ、この温度差が液晶表示パネル上で表示ムラとなって見える。即ち、画面全体に対して、高温となる部分が液晶の温度特性により、表示上白っぽく見えることになる。
【０００７】
この表示ムラを軽減するために、導光体と裏金属フレーム間に熱伝導のよいアルミ等の平面な金属板を入れ、冷陰極管の熱を放熱し、均一に液晶表示パネルに熱を分散させる構成のものがあるが、発熱する部品は冷陰極管だけではなく、オペアンプ等の駆動回路部品や冷陰極管用電源が近接しており、前記金属板はこれらからの熱を分散させる効果が少ないので、これらの熱が表示ムラ発生の一因になるという問題点がある。
【０００８】
本発明は上記従来の問題点を解決するものであり、構成部品が発する熱を液晶表示パネルに均一に分散することができる液晶表示装置を提供することを目的とするものである。
【０００９】
【課題を解決するための手段】
本発明の液晶表示装置は、液晶表示パネル背部に線状発光体と導光体よりなる背面照明を有し、さらにその外側位置に回路部品および線状発光体電源を備えた液晶表示装置であって、前記導光体の背面および少なくとも前記回路部品および前記線状発光体電源の配置されている側の側面に沿うように、端部が曲げられた金属板を前記導光体と裏金属フレームとの間に挿入したものである。
【００１０】
この発明によれば冷陰極管の熱だけでなく、回路部品および液晶表示装置外側に配置されている冷陰極管用電源の熱も均一に分散し、液晶表示パネルの熱ムラをより軽減することができる。
【００１１】
【発明の実施の形態】
以下、本発明の一実施の形態について図面を参照しつつ説明する。なお、前記従来のものと同一部分は同一符号を用いるものとする。図１は本発明の液晶表示装置の一実施の形態における構成を示す分解斜視図であり、図中、１は液晶表示パネル、２は金属フレーム、３は樹脂フレーム、４は裏金属フレーム、５は冷陰極管、６は導光体、７は拡散シート、８はプリズムシート、９はプリント基板、10はフィルムキャリア、11はドライバーＬＳＩ、12は回路部品、13は金属板、14は冷陰極管用電源、15はリフレクターである。ここで、アルミの金属板13は導光体６の背面および少なくとも回路部品12および冷陰極管用電源14の配置されている側の側面に沿うようにこれと密着しながら両端部で曲げられ、垂直端部13a，13bを形成している。即ち、コの字型に曲げられた形で立体的に成形され、導光体６と裏金属フレーム４との間に挿入されている。
【００１２】
このように構成することにより、液晶表示パネル１に最も近接配置されている冷陰極管５の熱は液晶表示パネル１と金属板13に伝えられ、また、オペアンプ等の回路部品12の熱はプリント基板９，樹脂フレーム３を通して液晶表示パネル１と金属板13の垂直端部13aに伝えられる。同様に、冷陰極管用電源14の熱も反対側より液晶表示パネル１と垂直端部13bに伝えられ、これらの熱は金属板13と液晶表示パネル１の放熱機能により、略均一に放熱されることになる。
【００１３】
以上のように本実施の形態によれば、コの字型に成形した金属板は、回路部品や冷陰極管用電源からの熱をその垂直端部から直接受け止め、金属板全体にその熱を伝え、均一に放熱するので、液晶表示パネル自身の放熱機能と相俟って、液晶表示パネルの熱による表示ムラを軽減することができる。
【００１４】
【発明の効果】
以上のように本発明によれば、構成部品が発する熱を液晶表示パネルに均一に分散することができ、液晶表示パネル内の温度差による表示ムラを軽減することができるという有利な効果が得られる。
【図面の簡単な説明】
【図１】本発明の液晶表示装置の一実施の形態における構成を示す分解斜視図である。
【図２】従来の液晶表示装置の一例を示す縦方向断面図である。
【図３】図２に示す従来の液晶表示装置の横方向断面図である。
【符号の説明】
１…液晶表示パネル、  ２…金属フレーム、  ３…樹脂フレーム、  ４…裏金属フレーム、  ５…冷陰極管、  ６…導光体、  ７…拡散シート、  ８…プリズムシート、  ９…プリント基板、  10…フィルムキャリア、  11…ドライバーＬＳＩ、  12…回路部品、  13…金属板、  14…冷陰極管用電源、  15…リフレクター。
【図１】
0003900214.tif 000002
【図２】
0003900214.tif 000003
【図３】
0003900214.tif 000004